【手続補正書】
【提出日】平成16年7月12日(2004.7.12)
【手続補正１】
【補正対象書類名】明細書
【補正対象項目名】請求項２
【補正方法】変更
【補正の内容】
【請求項２】
前記チャック装置が、前記樹脂成形品を挟む２本の把持爪と、前記把持爪の基部を収容する枠体と、前記枠体に出没して前記把持爪の先端を開閉する開閉作動部材と、前記開閉作動部材を前記枠体内に押し込む方向に弾圧して前記把持爪を閉じる把持用圧縮コイルばねと、前記把持爪の先端を開くように前記枠体内で前記把持爪の基部側面を押圧する開放用圧縮コイルばねと、前記把持爪の開閉動作支点を軸支する支点ピンと、を含み、
さらに、前記開閉作動部材が、該開閉作動部材の後端にフランジ部を有するとともに該開閉作動部材の先端に楔部を有し、前記把持爪が、該把持爪の先端近傍に成形品を挟む取り付け凹部を有するとともに該把持爪の基部に前記開閉作動部材の前記楔部が出没するテーパ切り欠き部を有し、
前記チャック開閉装置が、前記開閉部材の前記フランジ部に嵌合するカップリング部材と該カップリング部材を進退させるアクチュエータを備えていることを特徴とする請求項１記載のバリ取り洗浄装置。
【手続補正２】
【補正対象書類名】明細書
【補正対象項目名】００１０
【補正方法】変更
【補正の内容】
【００１０】
また、請求項２記載のバリ取り洗浄装置（１）は、請求項１記載のバリ取り洗浄装置（１）であって、チャック装置（１０）が、樹脂成形品（２）を挟む２本の把持爪（１１）と、把持爪（１１）の基部（１１ａ）を収容する枠体（１２）と、枠体（１２）に出没して把持爪（１１）の先端を開閉する開閉作動部材（１３）と、開閉作動部材（１３）を枠体（１２）内に押し込む方向に弾圧して把持爪（１１）を閉じる把持用圧縮コイルばね（１４）と、把持爪（１１）の先端を開くように枠体（１２）内で把持爪（１１）の基部（１１ａ）側面を押圧する開放用圧縮コイルばね（１６）と、把持爪（１１）の開閉動作支点を軸支する支点ピン（１５）と、を含み、さらに、開閉作動部材（１３）が、その後端にフランジ部（１３ａ）を有するとともにその先端に楔部（１３ｂ）を有し、把持爪（１１）が、その先端近傍に成形品（２）を挟む取り付け凹部（１１ｂ）を有するとともにその基部（１１ａ）に開閉作動部材（１３）の楔部（１３ｂ）が出没するテーパ切り欠き部（１１ｃ）を有し、チャック開閉装置（４０）が、開閉作動部材（１３）のフランジ部（１３ａ）に嵌合するカップリング部材（４３）と、カップリング部材（４３）を進退させるアクチュエータ（４１）とを備えることを特徴とする。
【手続補正３】
【補正対象書類名】明細書
【補正対象項目名】００１４
【補正方法】変更
【補正の内容】
【００１４】
最初にバリ取り洗浄装置１の概要が説明される。バリ取り洗浄装置１は、図１に示すように、高圧ジェット噴流によって樹脂成形品２のバリ取りをするバリ取り装置７０と、エアーブローによって成形品２に付着した噴流水を除去乾燥する乾燥装置８５とを最も主要な構成要素として含む。そして、バリ取り洗浄装置１は、これらの装置の側方に成形品２を移送する装置と、これらの装置に成形品２を搬入する装置とを含む。このため、バリ取り洗浄装置１は、図１および図２に示すように、最初に成形品２を受け取る受け取りステージ６を入口側に備え、その後順に、バリ取りステージ７、乾燥ステージ８、そして払い出しステージ９を備える。これらステージはその間隔が一定に配置される。当然、バリ取りステージ７はバリ取り装置７０の側方に、乾燥ステージ８は乾燥装置８５の側方に配置される。そして、成形品２は、チャック装置１０に一定の姿勢で把持されたまま各ステージ間で移載される。また、バリ取り洗浄装置１は、図２および図３に示すように、各ステージで成形品２をチャック装置１０とともに順送りする順送り装置５０と、チャック装置１０を払い出しステージ９から受け取りステージ６に戻す返還装置６０と、成形品２をチャック装置１０とともにバリ取り装置７０ないし乾燥装置８５に出し入れするトラバース装置４５とを備える。
【手続補正４】
【補正対象書類名】明細書
【補正対象項目名】００１５
【補正方法】変更
【補正の内容】
【００１５】
成形品２は、図１に示すように、公知の取り出し機９２によって射出成形機９１から取り出され、ベルトコンベア９３等によって振動フィーダ９４に搬送される。振動フィーダ９４は、振動する渦巻き状の樋を利用して成形品２をある程度の整列状態で順次搬出する公知の装置である。搬出された成形品２は、整列装置９５によってその姿勢を統一され、受け渡し装置９６によって一定の姿勢でバリ取り洗浄装置１に渡される。例えば、成形品２が光コネクタフェルールである場合、成形品２は、図９に示すように、バリの発生する透孔２ａが整列する面２ｂを上面としてチャック装置１０の把持爪１１（つぎに説明される。）に把持される。射出成形機９１から成形品２をバリ取り洗浄装置１に受け渡すこれら装置は、バリ取り洗浄装置１に成形品２を一定姿勢で受け渡すことができればどのような装置からなっても良い。９７は、払い出しステージ９から成形品２を一定の姿勢で取り出す装置で、特に検査装置に送る場合に採用されると良い。
【手続補正５】
【補正対象書類名】明細書
【補正対象項目名】００２０
【補正方法】変更
【補正の内容】
【００２０】
クランプ装置は、図３に示されるように、受け取りステージ６、バリ取りステージ７、乾燥ステージ８、払い出しステージ９の各ステージにそれぞれ組み込まれる。バリ取りステージ７、乾燥ステージ８では、厳密にはトラバース装置４５に組み込まれる。特に、受け取りステージ６、払い出しステージ９にはクランプ装置２５が組み込まれ、バリ取りステージ７、乾燥ステージ８にはクランプ装置２６が組み込まれる。また、順送り装置５０や返還装置６０にはクランプ装置２７やクランプ装置２８が取り付けられる。これらのクランプ装置は、概ね同じ構成であるから、図５のクランプ装置２７を例に説明される。特に、この図において、中心線より右側半分の図がチャック装置１０をクランプしているときの状態図、左側半分の図がアンクランプしているときの状態図を示している。また、チャック装置１０より下方のステージの断面は、中心線より右側の図がバリ取りステージ７、乾燥ステージ８の断面、左側の図が受け取りステージ６、払い出しステージ９の断面図である。順送り装置５０に取り付けられたクランプ装置２７は、チャック装置１０に当接する中空ブロック体３３と、チャック装置１０のプルスタッド２１の先端を引き上げてチャック装置１０をクランプするドローバー機構３４と、チャック装置１０の位置決めピン２２が挿入される位置決めブッシュ３５と、を含む。
【手続補正６】
【補正対象書類名】明細書
【補正対象項目名】００３３
【補正方法】変更
【補正の内容】
【００３３】
つぎに、順送り装置５０は、中間横行台車５３を移動させて３個のクランプ装置２７を同時に進行方向に移動する。このとき、返還装置６０も上側横行台車６１を移動させてクランプ装置２８を逆行させてチャック装置１０を受け取りステージ６の上方に移送する。つぎに、順送り装置５０が昇降装置５５によって３個のクランプ装置２７を下降して、チャック装置１０をバリ取りステージ７、乾燥ステージ８、払い出しステージ９上に載置する。返還装置６０も昇降装置６２によってクランプ装置２８を下降させて返還されるべきチャック装置１０を受け取りステージ６に載置する。